(57)【要約】【課題】加湿器、加湿空気清浄機などに使用される加湿機能を有する加湿ユニットにおいて、低騒音でメンテ性が良い加湿ユニットを提供することを目的とする。【解決手段】加湿水を貯水する加湿貯水槽２の上に設けられた加湿フィルタ３の中間貯水槽６に、水車７の回転により加湿貯水槽２の水を汲み上げ、給水する。中間貯水槽６に給水され貯水された加湿水は、加湿フィルタ３の中間貯水槽６より上方は加湿フィルタ３の吸水作用により、また、加湿フィルタ３の中間貯水槽６より下方は重力給水と加湿フィルタ３の吸水作用により、加湿フィルタ３への水の供給にムラができ難く、加湿フィルタ３に均一に給水される。加湿フィルタ３にムラ無く、均一に給水されることにより、加湿フィルタ３の全面からの加湿が可能となり、低騒音で、メンテ性が良く、効率良く加湿できることになる。【選択図】図１
2014190607.tif 000002
【特許請求の範囲】
【請求項１】
加湿フィルタと、加湿水を貯水する加湿貯水槽を備え、前記加湿貯水槽の加湿水を貯水する貯水面より上方に前記加湿フィルタを設け、前記加湿フィルタの垂直方向の上端と下端の間に加湿水を貯水する中間貯水槽を設け、前記加湿貯水槽の加湿水を前記中間貯水槽に供給する水車を備え、前記加湿フィルタは前記水車により供給された前記中間貯水槽の加湿水を吸水する加湿ユニット。
【請求項２】
中間貯水槽の底に開口を備え、前記開口から前記中間貯水槽の加湿水を前記加湿フィルタに給水する請求項１記載の加湿ユニット。
【請求項３】
加湿フィルタの垂直方向の上端と下端の間に設けられた中間貯水槽の位置は前記加湿フィルタの上端まで吸水可能な位置とする請求項１または２に記載の加湿ユニット。
【請求項４】
加湿フィルタに空気を送風する送風手段を備えた請求項１乃至３のいずれかに記載の加湿ユニット。
【請求項５】
吸込み口と、フィルタと、請求項１乃至４のいずれかに記載の加湿ユニットと、吹出し口とを備え、前記吸込み口から吸込まれた空気を前記フィルタで浄化し、その浄化された浄化空気を前記加湿ユニットにより加湿し、その加湿された加湿浄化空気を前記吹出し口から吹出す加湿空気清浄機。
【発明の詳細な説明】
【技術分野】
【０００１】
本発明は、空気を加湿する加湿に使用される加湿ユニットおよびこの加湿ユニットを用いた加湿器、加湿空気清浄機、暖房機、エアコンなどの空気調和機に関するものである。
【背景技術】
【０００２】
従来、この種の加湿ユニットは、加湿トレーの上に吸水性の加湿フィルタを設け、加湿トレーの水をポンプで加湿ユニットの上の加湿ボックスにポンプアップする。
【０００３】
ポンプアップされた水を加湿ユニットの上、上端から加湿ボックスの底面の散水穴を通して加湿フィルタに散水して給水する。給水された加湿フィルタに空気を送風して加湿するものが知られている（例えば、特許文献１参照）。
【先行技術文献】
【特許文献】
【０００４】
【特許文献１】特開２００９−０１９８２１号公報
【特許文献２】特開２００９−１８６０７３号公報
【発明の概要】
【発明が解決しようとする課題】
【０００５】
このような従来の加湿ユニットにおいては、ポンプアップして給水する場合は、ポンプが騒音源となり、また、ポンプは目詰まりし易く、頻繁なメンテナンスが必要になり易いという課題を有していた。
【０００６】
そこで本発明は、上記従来の課題を解決するものであり、低騒音でメンテ性が良い加湿ユニットを提供することを目的とする。
【課題を解決するための手段】
【０００７】
そして、この目的を達成するために、本発明は、加湿フィルタと、加湿水を貯水する加湿貯水槽を備え、前記加湿貯水槽の加湿水を貯水する貯水面より上方に前記加湿フィルタを設け、前記加湿フィルタの垂直方向の上端と下端の間に加湿水を貯水する中間貯水槽を設け、前記加湿貯水槽の加湿水を前記中間貯水槽に供給する水車を備え、前記加湿フィルタは前記水車により供給された前記中間貯水槽の加湿水を吸水する加湿ユニットとしたものであるり、これにより、所定の目的を達成するものである。
【発明の効果】
【０００８】
本発明によれば、加湿フィルタの垂直方向の上端と下端の間に加湿水を貯水する中間貯水槽を設け、加湿貯水槽の加湿水を前記中間貯水槽に供給する水車を備え、前記加湿フィルタは前記水車により供給された前記中間貯水槽の加湿水を吸水する加湿ユニットという構成にしたことにより、低騒音でメンテ性が良い加湿ユニットを提供するという効果を得ることができる。
【図面の簡単な説明】
【０００９】
【図１】本発明の実施の形態１の加湿ユニットの外形を示す外形図
【図２】同加湿ユニットの断面図
【図３】同加湿ユニットを備えた加湿空気清浄機の外形を示す外形図
【発明を実施するための形態】
【００１０】
本発明の請求項１記載の加湿ユニットは、加湿フィルタと、加湿水を貯水する加湿貯水槽を備え、前記加湿貯水槽の加湿水を貯水する貯水面より上方に前記加湿フィルタを設け、前記加湿フィルタの垂直方向の上端と下端の間に加湿水を貯水する中間貯水槽を設け、前記加湿貯水槽の加湿水を前記中間貯水槽に供給する水車を備え、前記加湿フィルタは前記水車により供給された前記中間貯水槽の加湿水を吸水する加湿ユニットという構成を有する。
【００１１】
これにより、加湿フィルタへの給水を水車による給水とすることにより、低騒音でメンテ性が良い加湿ユニットを提供するという効果を奏する。
【００１２】
また、加湿フィルタの垂直方向の上端と下端の間に中間貯水槽を設けることで、中間貯水槽より上方は加湿フィルタの吸水作用により、また、中間貯水槽より下方は重力給水と加湿フィルタの吸水作用により、加湿フィルタへの水の供給にムラができ難く、加湿効率の良い加湿ユニットを提供するという効果を奏する。
【００１３】
また、中間貯水槽の底に開口を備え、前記開口から前記中間貯水槽の加湿水を前記加湿フィルタに給水する請求項１記載の加湿ユニットという構成にしてもよい。これにより、中間貯水槽の底の開口から加湿フィルタへの給水ができ、加湿フィルタへの水の供給がスムースな加湿ユニットが提供できる。
【００１４】
また、加湿フィルタの垂直方向の上端と下端の間に設けられた中間貯水槽の位置は前記加湿フィルタの上端まで吸水可能な位置とする請求項１または２に記載の加湿ユニットという構成にしてもよい。
【００１５】
これにより、中間貯水槽の位置を加湿フィルタの上端まで吸水可能な位置としており、中間貯水槽より上方は加湿フィルタの吸水作用により、また、中間貯水槽より下方は重力給水と加湿フィルタの吸水作用により、加湿フィルタへの水の供給にムラができ難く、加湿効率の良い加湿ユニットを提供するという効果を奏する。
【００１６】
また、加湿フィルタに空気を送風する送風手段を備えた請求項１乃至３のいずれかに記載の加湿ユニットという構成にしてもよい。これにより、急速な加湿ができる加湿ユニットが提供できるという効果を奏する。
【００１７】
また、吸込み口と、フィルタと、請求項１乃至４のいずれかに記載の加湿ユニットと、吹出し口とを備え、前記吸込み口から吸込まれた空気を前記フィルタで浄化し、その浄化された浄化空気を前記加湿ユニットにより加湿し、その加湿された加湿浄化空気を前記吹出し口から吹出す加湿空気清浄機という構成にしてもよい。
【００１８】
これにより、低騒音でメンテ性が良く、加湿フィルタへの水の供給にムラができ難く、加湿効率の良い加湿空気清浄機が提供できるという効果を奏する。
【００１９】
以下、本発明の実施の形態について図面を参照しながら説明する。
【００２０】
（実施の形態１）
図１、図２に示すように、加湿ユニット１は、加湿水を貯水する加湿貯水槽２の上に矩形の加湿フィルタ３を設ける。加湿フィルタ３は加湿貯水槽２の水面の貯水面より上方となり、加湿フィルタ３の全面が空気に触れ、加湿フィルタ３の全面からの加湿が可能となる。
【００２１】
加湿フィルタ３の垂直方向、すなわち高さ方向の上端４と下端５の間に中間貯水槽６を設ける。中間貯水槽６は加湿フィルタ３の略幅一杯に設けられている。加湿貯水槽２に水車７を設け、水車駆動モータ８により水車７を回転させて、加湿貯水槽２に貯水されている加湿水を汲み上げ、中間貯水槽６に加湿水を供給する。
【００２２】
中間貯水槽６は加湿フィルタ３の側面の前面９に設けられ、中間貯水槽６の側壁１０と加湿フィルタ３の側面の前面９との間で加湿水を貯水する。中間貯水槽６に供給された加湿水は加湿フィルタ３に接触し、加湿フィルタ３により吸水される。
【００２３】
中間貯水槽６の底１１には開口１２が設けられている。開口１２から貯水された加湿水が加湿フィルタ３に給水される。加湿フィルタ３への給水は重力効果と加湿フィルタ３の  吸水効果とにより、加湿フィルタ３の下端まで供給、給水される。
【００２４】
中間貯水槽６の加湿フィルタ３の垂直方向、すなわち高さ方向の位置は、加湿フィルタ３の吸水効果により、加湿フィルタ３の上端４まで、吸水して給水できれば良い。
【００２５】
加湿フィルタ３の垂直方向の上端４と下端５の間に設けられた中間貯水槽６の位置は加湿フィルタ３の上端４まで吸水可能な位置であり、加湿フィルタ３の上端４でも、加湿フィルタ３からの気化速度以上に吸水され、給水できれば良い。
【００２６】
例えば、加湿フィルタ３の上端４まで吸水可能な位置とは、加湿フィルタ３が吸水できる吸水高さの略７０％〜９０％程度である。加湿フィルタ３が吸水できる限度一杯の吸水高さを１５０ｍｍＨとすると、中間貯水槽６の位置は、加湿フィルタ３の上端４から、１５０ｍｍ×７０％〜９０％の１０５ｍｍ〜１３５ｍｍ程度下方に設ける。
【００２７】
また、中間貯水槽６の加湿フィルタ３の垂直方向、すなわち高さ方向の位置は、加湿フィルタ３の下端５まで、重力効果と加湿フィルタ３の吸水効果により給水できれば良い。加湿フィルタ３の全面に均一に満遍なく供給できれば良い。
【００２８】
加湿フィルタ３を、例えば、３２０ｍｍＨ×２５０ｍｍＷ×１０ｍｍＤとすると、中間貯水槽６の加湿フィルタ３の垂直方向の位置は、例えば、加湿フィルタ３の上端４から略１２０ｍｍ程度下方であり、加湿フィルタの下端５から略２００ｍｍ程度上方である。加湿フィルタは吸水性を保有している。
【００２９】
中間貯水槽６は、例えば、１０ｍｍＨ×２５０ｍｍＷ×１５ｍｍＤであり、中間貯水槽６の底１１の開口１２は、中間貯水槽６の横幅の２５０ｍｍＷに、略均等に、φ１０ｍｍ×４〜５個程度を設ける。中間貯水槽６は、強度、成形性があり、例えば、ＰＳ、ＡＢＳなどの樹脂である。
【００３０】
水車７は、例えば、φ１２０ｍｍであり、タイミングモータ１３により４ｒｐｍ程度で回転する。水車７には、略２０〜３０ｃｃ／個×６個の給水容器１４が均等に設けられ、タイミングモータ１３による回転により、加湿貯水槽２に貯水されている加湿水を給水容器１４で汲み上げて、中間貯水槽６に給水容器１４から加湿水を供給、給水する。
【００３１】
水車７の材質としては、ＰＳ、ＡＢＳ等の樹脂がある。
【００３２】
上記構成において、加湿水を貯水する加湿貯水槽２の上に設けられた加湿フィルタ３の中間貯水槽６に、水車７の回転により加湿貯水槽２の水を汲み上げ、給水する。
【００３３】
中間貯水槽６に給水され貯水された加湿水は、加湿フィルタ３の中間貯水槽６より上方は加湿フィルタ３の吸水作用により、また、加湿フィルタ３の中間貯水槽６より下方は重力給水と加湿フィルタ３の吸水作用により、加湿フィルタ３への水の供給にムラができ難く、加湿フィルタ３に均一に給水される。
【００３４】
加湿フィルタ３にムラ無く、均一に給水され易くなることにより、加湿フィルタ３の全面からの加湿が可能となり、効率良く加湿できることになる。
【００３５】
また、加湿フィルタ３の垂直方向の上端４と下端５の間に設けられた中間貯水槽６の位置を加湿フィルタ３の上端まで吸水可能な位置とすると、加湿フィルタ３によりムラ無くより均一に給水されることにより、加湿フィルタ３の全面からの加湿が可能となり、効率良く加湿できることになる。
【００３６】
また、加湿フィルタ３の垂直方向の上端４と下端５の間に設けられた中間貯水槽６の位置を加湿フィルタ３の上端４まで吸水可能な位置とすることで、中間貯水槽６から加湿フィルタ３の上端４までの吸水可能な高さ分だけ、上端４からの給水に比べて加湿フィルタ３を高くでき、その分、設置面積を小さくスリムな加湿ユニットを提供できる。
【００３７】
空気を送風する送風手段としての送風機（図示せず）により給水された加湿フィルタ３に送風すると、気化が進み、加湿能力が向上し急速な加湿が可能となる。その際、加湿フィルタ３の下流側に水車７を設けると、上流側に水車７を設けるのと比べると、圧力損失が低くより良い。
【００３８】
送風機による風量を例えば、強中弱の３段階として、強を７ｍ３／分、中を４ｍ３／分、弱を１．８ｍ３／分とすると、加湿の必要性に応じた加湿が可能となる。
【００３９】
本実施例によれば、加湿フィルタ３への給水を水車７による給水とすることにより、低騒音でメンテ性が良い加湿ユニット１が提供できる。
【００４０】
また、中間貯水槽６の位置を加湿フィルタ３の上端４まで吸水可能な位置としており、中間貯水槽６より上方は加湿フィルタ３の吸水作用により、また、中間貯水槽６より下方は重力給水と加湿フィルタ３の吸水作用により、加湿フィルタ３への水の供給にムラができ難く、加湿効率の良い加湿ユニット１が提供できる。
【００４１】
加湿フィルタの上端、上から加湿水を給水すると、加湿フィルタが吸水性があっても、加湿フィルタの高さによっては、給水された加湿水が加湿フィルタへの供給、給水にムラができ易く、加湿フィルタの下端まで行き渡り難く、加湿フィルタの全面に均一に給水し難くなり、効率的な加湿がし難くなる。
【００４２】
本実施例のように、加湿フィルタ３の垂直方向の上端４と下端５の間に加湿水を貯水する中間貯水槽６を設けると、中間貯水槽６より上方は加湿フィルタ３の吸水作用により、また、中間貯水槽６より下方は重力給水と加湿フィルタ３の吸水作用により、加湿フィルタ３への水の供給が均一になり易く、加湿効率の良い加湿ユニット１が提供できる。
【００４３】
更に、加湿フィルタ３の垂直方向の上端４と下端５の間に設けられた中間貯水槽６の位置を加湿フィルタ３の上端まで吸水可能な位置とすると、中間貯水槽６より上方は加湿フィルタ３の吸水作用により、また、中間貯水槽６より下方は重力給水と加湿フィルタ３の吸水作用により、加湿フィルタ３への水の供給が均一になり易く、加湿効率が良くなる。
【００４４】
なお、加湿フィルタ３を矩形、または水平方向を円弧状にすると、加湿フィルタ３を内臓する外枠、ケースの外形に合わせての自由な形状が可能となり、コンパクト性が保て、外枠、ケースの形状デザイン、意匠の自由度が向上することになる。
【００４５】
例えば、外枠を斜面状、あるいは階段状にしても、その外枠の斜面状、あるいは階段に合わせて、矩形、あるいは円弧状の加湿フィルタの上端を斜面状、あるいは階段状にでき、コンパクトな加湿フィルタ３を内臓する外枠となる。
【００４６】
図３に示すように、本実施例の加湿ユニット１を加湿空気清浄機２１に応用した例を説明する。加湿空気清浄機２１は加湿空清吸込み口２２と、高性能フィルタ、ＨＥＰＡフィルタなどの空気中の粉塵を除去するフィルタと、加湿ユニット１と、加湿空清吹出し口２４とを備えている。
【００４７】
加湿空清吸込み口２２から吸込まれた空気をフィルタ２３で浄化し、その浄化された浄化空気を加湿ユニット１により加湿し、その加湿された加湿浄化空気を加湿空清吹出し口２４から吹出すことで、低騒音でメンテ性が良く、加湿フィルタ３への水の供給にムラができ難く、加湿効率の良い加湿空気清浄機が提供できることとなる。
【産業上の利用可能性】
【００４８】
本発明にかかる加湿ユニットは、低騒音でメンテ性が良く、加湿効率が良く、コンパクト性に優れているので、加湿機能を内蔵する加湿器、加湿空気清浄機、暖房機、あるいはエアコンなどの空調機等に使用される加湿ユニット等として有用である。
【符号の説明】
【００４９】
１  加湿ユニット
２  加湿貯水槽
３  加湿フィルタ
４  上端
５  下端
６  中間貯水槽
７  水車
８  水車駆動モータ
９  前面
１０  側壁
１１  底
１２  開口
１３  タイミングモータ
１４  給水容器
２１  加湿空気清浄機
２２  加湿空清吸込み口
２４  加湿空清吹出し口
【図１】
2014190607.tif 000003
【図２】
2014190607.tif 000004
【図３】
2014190607.tif 000005